(57)【要約】【課題】  書籍、雑誌、あるいはパンフレット、カタログ等の書籍類を、表紙を前に向けた横向き姿勢で陳列、展示することが可能な書籍ホルダーを、汎用のスチール製書棚の棚板の前縁部に、該棚板に何ら加工、設計変更を施すことなくそのまま装着でき、更に陳列収容する書籍の数や種類の変更に応じて態様変更も自由にできる書籍陳列装置を提供する。【解決手段】  棚板２を多段に設けた書棚１と、棚板の前縁部５に着脱可能且つ移動可能に取付ける支持具３と、下部前面に書籍の表紙を前側に向けた状態で保持するサポート部６を備え、上縁部背面に支持具に前後回動可能に連結するヒンジ部７を設けた書籍ホルダー４とからなり、書棚の所定棚板の前縁に取付けた支持具に、書籍ホルダーのヒンジ部を前後回動可能に連結し、書籍ホルダーの下端部背面を下段の棚板の前縁部に当止した。【選択図】        図４
2006263126.tif 000002
【特許請求の範囲】
【請求項１】
棚板を多段に設けた書棚と、前記棚板の前縁部に着脱可能且つ移動可能に取付ける支持具と、下部前面に書籍の表紙を前側に向けた状態で保持するサポート部を備えるとともに、上縁部背面に前記支持具に前後回動可能に連結するヒンジ部を設けた書籍ホルダーとからなり、前記書棚の所定棚板の前縁に取付けた前記支持具に、前記書籍ホルダーのヒンジ部を前後回動可能に連結するとともに、該書籍ホルダーの下端部背面を下段の棚板の前縁部に当止してなることを特徴とする書籍陳列装置。
【請求項２】
前記棚板は、スチール製であり、載置板の前縁を下方に折曲して前板を形成し、該前板の下縁を後方へ折曲して下板を形成し、更に該下板の後縁を上方へ折曲して立起片を形成した前縁部を有し、前記支持具は、前記棚板の下板に圧接し且つ立起片の前面側に係止する係合部と、前記載置板の下面に圧接する当止部と、該当止部から垂下した支持部とを一体成形し、前記支持部の上部に後方から螺合した固定ネジの先端を前記立起片の後面側に圧接し、前記係合部とで立起片を挟持するものである請求項１記載の書籍陳列装置。
【請求項３】
前記書籍ホルダーを前記書棚に装着した状態で、該書籍ホルダーの下端部の少なくとも一部が、下段の前記棚板の前縁部下面よりも下方に突出した指掛け部となっている請求項１又は２記載の書籍陳列装置。
【請求項４】
前記書籍ホルダーの上縁部背面の両側部に前記ヒンジ部を設け、前記支持具は一方のヒンジ部のみを回動可能に連結するものであり、一対の該支持具を間隔を隔てて前記棚板の前縁部に取付け、各支持具に前記書籍ホルダーのヒンジ部をそれぞれ回動可能に連結してなる請求項１〜３何れかに記載の書籍陳列装置。
【請求項５】
前記書籍ホルダーの上縁部背面の両側部に前記ヒンジ部を設け、前記支持具は両ヒンジ部にわたる長さを有する一体物であり、該支持具を前記棚板の前縁部に取付け、該支持具の両端部に前記書籍ホルダーのヒンジ部をそれぞれ回動可能に連結してなる請求項１〜３何れかに記載の書籍陳列装置。
【発明の詳細な説明】
【技術分野】
【０００１】
本発明は、書籍陳列装置に係わり、更に詳しくは書籍、雑誌、あるいはパンフレット、カタログ等の書籍類を、表紙を前に向けた横向き姿勢で陳列、展示することが可能な書籍陳列装置に関するものである。
【背景技術】
【０００２】
従来から、書籍、雑誌、あるいはパンフレット、カタログ等の書籍類を、表紙を前に向けた横向き姿勢で陳列、展示することが可能な書棚は各種提供されている。例えば、傾斜した棚板の下縁に支持部を設け、中間高さ位置に落下防止バーを横設したものを多段に設けた雑誌架がある。このような雑誌架は、陳列、展示することを目的としているので収納スペースが少なく、また専用棚となるのでコスト高である。
【０００３】
また、特許文献１には、複数の棚板の奥部に前方が開放された第１の書棚を設け、第１の書棚の前部に前方が開放された断面略Ｌ字形の第２の書棚を配置し、上記第２の書棚を上段側の棚板の前面下部に回動自在に垂設した構造の書棚が開示されている。
【０００４】
しかし、前述の特許文献１に記載された書棚は、棚板の前縁下面に蝶番にて第２の書棚を回動自在に取付けているので、棚板は蝶番が取付けられる構造、材質にする必要があり、例えば木ネジで取付可能な木製の棚板を用いなければならず、汎用性に乏しいものであった。また、第２の書棚は、通常の本立のように断面略Ｌ字形を有し、書籍の背表紙を前に向けて収納するものであり、複数の書籍を収容した第２の書棚はかなりの重量になるが、前記蝶番のみで吊下げ状に支持されているので不安定であるばかりでなく、重心が蝶番よりもかなり前方になっているので、該蝶番に大きなモーメントが作用し、耐久性において問題がある。更に、陳列収容する書籍の数や種類の変更に応じて態様を変化させる必要が生じても、棚板の前縁部に沿った任意の位置へ第２の書棚を移動させることは不可能であった。
【特許文献１】実開平６−２６５６９号公報
【発明の開示】
【発明が解決しようとする課題】
【０００５】
そこで、本発明が前述の状況に鑑み、解決しようとするところは、書籍、雑誌、あるいはパンフレット、カタログ等の書籍類を、表紙を前に向けた横向き姿勢で陳列、展示することが可能な書籍ホルダーを、汎用のスチール製書棚の棚板の前縁部に、該棚板に何ら加工、設計変更を施すことなくそのまま装着することを可能となし、更に陳列収容する書籍の数や種類の変更に応じて態様変更も自由に行うことが可能な書籍陳列装置を提供する点にある。
【課題を解決するための手段】
【０００６】
本発明は、前述の課題解決のために、棚板を多段に設けた書棚と、前記棚板の前縁部に着脱可能且つ移動可能に取付ける支持具と、下部前面に書籍の表紙を前側に向けた状態で保持するサポート部を備えるとともに、上縁部背面に前記支持具に前後回動可能に連結するヒンジ部を設けた書籍ホルダーとからなり、前記書棚の所定棚板の前縁に取付けた前記支持具に、前記書籍ホルダーのヒンジ部を前後回動可能に連結するとともに、該書籍ホルダーの下端部背面を下段の棚板の前縁部に当止してなる書籍陳列装置を構成した（請求項１）。
【０００７】
具体的には、前記棚板は、スチール製であり、載置板の前縁を下方に折曲して前板を形成し、該前板の下縁を後方へ折曲して下板を形成し、更に該下板の後縁を上方へ折曲して立起片を形成した前縁部を有し、前記支持具は、前記棚板の下板に圧接し且つ立起片の前面側に係止する係合部と、前記載置板の下面に圧接する当止部と、該当止部から垂下した支持部とを一体成形し、前記支持部の上部に後方から螺合した固定ネジの先端を前記立起片の後面側に圧接し、前記係合部とで立起片を挟持するものである（請求項２）。
【０００８】
ここで、前記書籍ホルダーを前記書棚に装着した状態で、該書籍ホルダーの下端部の少なくとも一部が、下段の前記棚板の前縁部下面よりも下方に突出した指掛け部となっていることが好ましい（請求項３）。
【０００９】
また、前記書籍ホルダーの上縁部背面の両側部に前記ヒンジ部を設け、前記支持具は一方のヒンジ部のみを回動可能に連結するものであり、一対の該支持具を間隔を隔てて前記棚板の前縁部に取付け、各支持具に前記書籍ホルダーのヒンジ部をそれぞれ回動可能に連結してなるのである（請求項４）。
【００１０】
また、前記書籍ホルダーの上縁部背面の両側部に前記ヒンジ部を設け、前記支持具は両ヒンジ部にわたる長さを有する一体物であり、該支持具を前記棚板の前縁部に取付け、該支持具の両端部に前記書籍ホルダーのヒンジ部をそれぞれ回動可能に連結してなることも好ましい（請求項５）。
【発明の効果】
【００１１】
以上にしてなる請求項１に係る発明の書籍陳列装置は、書棚の所定棚板の前縁に取付けた支持具に、書籍ホルダーのヒンジ部を前後回動可能に連結するとともに、該書籍ホルダーの下端部背面を下段の棚板の前縁に当止するだけであるので、汎用のスチール製書棚の棚板の前縁部に、該棚板に何ら加工、設計変更を施すことなくそのまま書籍ホルダーを装着することができ、そして該書籍ホルダーに、書籍、雑誌、あるいはパンフレット、カタログ等の書籍類を、その下部をサポート部で保持して表紙を前側に向けた状態で収容することができる。そして、既製の書棚に、支持具を取付けて、該支持具に書籍ホルダーを前後回動可能に連結するだけの簡単な構成であるので、専用の雑誌架を用いなくても、書籍や雑誌等の書籍類を陳列することができる。また、前記書籍ホルダー後方の棚板には、書籍類のストックを置くことが可能であり、通常はその前面が書籍ホルダーで覆われているので、外観性にも優れている。また、棚板の前縁部に支持具を着脱可能且つ移動可能に取付けたので、該支持具を棚板の前縁部に沿って移動することができ、もって陳列収容する書籍の数や種類の変更に応じて態様変更も自由に行うことができるのである。
【００１２】
請求項２によれば、支持具を斜めにして係合部を前方へ向けた状態で、該係合部を棚板の載置板の下面と前縁部の立起片との間に後方から挿入した後、該支持具の支持部を後方へ押して前記係合部を棚板前縁部の下板に圧接するとともに、当止部を前記載置板の下面に圧接し、それから固定ネジを締付けて該固定ネジの先端を前記立起片の後面側に圧接し、該固定ネジの先端と係合部とで前記立起片を挟持して装着するので、支持具の棚板前縁部への装着作業が簡単であり、また装着状態では支持強度が高いのである。前記棚板において、載置板、前板、下板及び立起片を有する前縁部の構造は、汎用のスチール製の棚板そのものであり、従って棚板の前縁部に何ら加工や設計変更を加える必要がなく、既設の書棚に支持具を取付け、該支持具に書籍ホルダーを連結するだけで、極めて安価に雑誌架を構成することができる。
【００１３】
請求項３によれば、書籍ホルダーを書棚に装着した状態で、該書籍ホルダーの下端部の少なくとも一部が、下段の棚板の前縁部下面よりも下方に突出した指掛け部となっているので、該指掛け部に指を掛けて手前に回動させることにより、その後方の棚板の収納空間を開放することができ、もって書籍類を出し入れすることができるのである。
【００１４】
請求項４によれば、支持具の横寸法が小さいので成形が容易であり、また書籍ホルダーの大きさが異なって両側部のヒンジ部の間隔が変化しても、各支持具を独立して棚板の前縁部に装着することができるので、単に両支持具の間隔を調整するだけで対応することができる。
【００１５】
請求項５によれば、一つの支持具を棚板の前縁部に装着し、該支持具の両端部に書籍ホルダーのヒンジ部をそれぞれ回動可能に連結するだけであるので、支持具の位置決めが容易で装着作業が簡単であるとともに、支持具の両端部に書籍ホルダーの両側ヒンジ部を連結した状態では安定に支持することができる。
【発明を実施するための最良の形態】
【００１６】
次に添付図面に基づいて本発明の書籍陳列装置の詳細を説明する。図１は本発明に係る書籍陳列装置の実施形態を示し、図中符号１は書棚、２は棚板、３は支持具、４は書籍ホルダーをそれぞれ示している。
【００１７】
本発明に係る書籍陳列装置は、図１〜図４に示すように、棚板２を多段に設けた書棚１と、前記棚板２の前縁部５に嵌合とネジによる締結によって着脱可能に取付ける支持具３と、下部前面に書籍の表紙を前側に向けた状態で保持するサポート部６を備えるとともに、上縁部背面に前記支持具３に前後回動可能に連結するヒンジ部７を設けた書籍ホルダー４とからなり、前記書棚１の所定棚板２の前縁部５に取付けた前記支持具３に、前記書籍ホルダー４のヒンジ部７を前後回動可能に連結するとともに、該書籍ホルダー４の下端部背面を下段の棚板２の前縁部５に当止したものである。
【００１８】
ここで、図４に示すように、前記書籍ホルダー４を前記書棚１に装着した状態で、該書籍ホルダー４の下端部の少なくとも一部が、下段の前記棚板２の前縁部５下面よりも下方に突出した指掛け部８となっている
【００１９】
更に詳しくは、前記書棚１は、図１に示すように、汎用的なスチール棚であり、両側板９，９間に多段に棚板２，…を設けたものであり、本実施形態では上下に一定間隔毎に設けている。尚、本発明では、前記書棚１の構造に限定は不要であり、前記側板９の代わりに支柱で棚板２を支持する構造であっても構わない。
【００２０】
また、前記棚板２は、図１、図３〜図５に示すように、スチール製であり、載置板１０の前縁を下方に折曲して前板１１を形成し、該前板１１の下縁を後方へ折曲して下板１２を形成し、更に該下板１２の後縁を上方へ折曲して立起片１３を形成した前縁部５を有している。この棚板２は、汎用的な構造のものであり、従来既製のもので良いのである。
【００２１】
そして、前記支持具３は、図２〜図５に示すように、前記棚板２の下板１２に圧接し且つ立起片１３の前面側に係止する係合部１４と、前記載置板１０の下面に圧接する当止部１５と、該当止部１５から垂下した支持部１６とを一体成形し、前記支持部１６の上部に後方から螺合した固定ネジ１７の先端を前記立起片１３の後面側に圧接し、前記係合部１４とで立起片１３を挟持するものである。
【００２２】
更に詳しくは、前記支持具３は、ＡＢＳ樹脂等の強度の高い合成樹脂で一体成形したものであり、前記係合部１４の下面から前記当止部１５の上面までの高さを、前記棚板２の載置板１０と下板１２との間隔に略一致させている。前記係合部１４は、側面視形状において、後面が前記立起片１３の前面側に係止することができるように急峻に立ち上がった係止面１４Ａとなり、前面が上下中間部が前方へく字形に張り出した突起部１４Ｂを有し、該突起部１４Ｂの先端が前記棚板２の前板１１の後面に装着状態で当接するようにしている。また、前記当止部１５は、前記棚板２の載置板１０の下面に対して十分に広い接触面積を有し、特に前後幅を十分に大きく取っている。そして、前記係合部１４と支持部１６との間には比較的広い凹部１８を形成し、該凹部１８に前記棚板２の立起片１３を受け入れるのである。前記固定ネジ１７は、前記支持部１６の上部に前記凹部１８に向けて形成した螺孔１９に後方から螺合し、該固定ネジ１７の先端と前記係合部１４の係合面１４Ａとで前記棚板２の立起片１３を挟持するのである。
【００２３】
また、前記支持具３の支持部１６は、前記当止部１５から下方に延び、その下端部を前方に延設して連結部２０を形成した側面視Ｌ字形を有し、該連結部２０の前側中央部には縦にスリット２１を形成するとともに、該連結部２０に前記スリット２１に対して直交する軸孔２２を形成し、該軸孔２２にピン２３を挿入し、後述のヒンジ部７を前後回動可能に連結できるようにしている。
【００２４】
そして、前記書籍ホルダー４は、図２〜図４に示すように、基板２４の下部前面に書籍の表紙を前側に向けた状態で保持するサポート部６を設けるとともに、上縁部背面の両側部にヒンジ部７，７を設けている。本実施形態では、前記サポート部６は、横幅が前記基板２４と同一で、高さが前記基板２４より十分に低い支持板２５の下縁と、前記基板２４の前面下縁との間に断面四角形の底部材２６を配し、前後から複数のネジ２７，…で連結するとともに、前記支持板２５の両側上端部と前記基板２４との間にスペーサ２８，２８を介在させてボルト２９とナット３０で連結し、更に前記基板２４の下縁、底部材２６及び支持板２５の下面を抱持するように、断面コ字形のアルミニウム製のカバー部材３１を接着若しくは両面粘着テープ等で取付けて構成している。本実施形態では、前記支持板２５は透明なアクリル板とし、前記サポート部６に書籍類の下部を収容し、支持した場合に、前方から書籍類の表紙の下部も良く見えるようにしている。また、前記ヒンジ部７は、断面略Ｌ字形の小型アングル材であり、一方の固定片３２を基板２４の背面にネジ３３，３３で固定し、他方の垂直なヒンジ片３４に前記ピン２３が回動可能に遊挿する孔３５を形成している。しかし、本発明では、前記サポート部６の構造及びヒンジ部７の具体的構造は限定不要であり、他の構造を採用しても良い。
【００２５】
このような前記書籍ホルダー４を、前記支持具３，３を用いて前記書棚１の棚板２の前縁部５に装着するには、前記支持具３を斜めにして係合部１４の先端を前方へ向けた状態で、該係合部１４を棚板２の載置板１０の下面と前縁部５の立起片１３との間に後方から挿入した後、該支持具３の支持部１６を後方へ押して前記係合部１４を棚板前縁部５の下板１２に圧接するとともに、当止部１５を前記載置板１０の下面に圧接し、それから固定ネ１７を締付けて該固定ネジ１７の先端を前記立起片１３の後面側に圧接し、該固定ネジ１７の先端と係合部１４の係合面１４Ａとで前記立起片１３を前後から挟持して装着する。ここで、前記棚板２の前縁部５への支持具３の取付けは、嵌合とネジによる締結によるので、装着作業が極めて容易である。尚、前記固定ネジ１７で締付ける前は、前記支持具３は棚板２の前縁部５に沿って移動可能であり、取付位置の微調整ができる。
【００２６】
また、前記支持具３を棚板２の前縁部５に取付け、ヒンジ部７を介して書籍ホルダー４を支持した後、当該書籍ホルダー４を横方向に移動させる必要が生じたときには、前記固定ネジ１７を緩めれば前記支持具３を前縁部５に沿って移動させることが可能である。更に、スチール製の棚板２であれば、前記固定ネジ１７の代わりにマグネットを利用して吸着して横移動を規制し、マグネットの吸着を解除して横方向へ移動できるようにすることも好ましい。そして、前記書棚１の同一棚板２には、少なくとも一つの書籍ホルダー４に相当する空間を残して複数の書籍ホルダー４，…を装着すれば、特定の場所を開放するには、全書籍ホルダー４，…を両側又は一側に移動させて寄せればよく、それにより棚板２への出し入れ空間を形成することができる。
【００２７】
それから、前記書籍ホルダー４のヒンジ部７，７の各ヒンジ片３４をそれぞれ支持具３の連結部２０のスリット２１に挿入するとともに、前記軸孔２２にピン２３を挿入し、孔３５を貫通させて保持し、もって支持具３に対して書籍ホルダー４のヒンジ部７を前後回動可能に連結するのである。図４に示すように、前記書籍ホルダー４、前記棚板２の前縁部５に着脱可能に取付けた支持具３，３にヒンジ部７，７で前後回動可能に吊下げるとともに、該書籍ホルダー４の下端部背面を下段の棚板２の前縁部５に当止して保持するが、この状態で該書籍ホルダー４の下端部は、下段の棚板２の前縁部５下面よりも若干下方に突出するように寸法設定し、該下縁の突出部を前記指掛け部８とするのである。尚、この指掛け部８に指を掛ける際に、下方の他の書籍ホルダー４が邪魔になることがないように、前記支持具３の支持部１６の上下長さを設定し、下段の書籍ホルダー４の上端と上段の書籍ホルダー４の指掛け部８との間に指を差し入れることができる隙間を確保している。
【００２８】
前述のように、前記書棚１に装着した書籍ホルダー４には、基板２４の前面に沿わせるように書籍類を置き、その書籍類下部を、サポート部６を構成する支持板２５との間のポケット内に収容して底部材２６に載支し、書籍類の表紙を前側に向けた状態で陳列することができるのである。また、前記書籍ホルダー４の後方の棚板２の上には、該書籍ホルダー４に陳列した書籍類のストックを収容しておくことができる。しかし、前記書籍ホルダー４と棚板２との利用形態は、目的に応じて自由である。
【００２９】
ここで、図４に示すように、前記書籍ホルダー４が略垂直である場合には、書籍ホルダー４の支持自体が若干不安定であるとともに、書籍類の表紙も下段のものは見難くなるので、図６に示すように、前記棚板２の前縁部５における下板１２の奥行幅を大きくするだけの最小限の設計変更によって、前記支持具３による支持位置が後退するので、下段の棚板２の前縁部５とで前記書籍ホルダー４を後傾状態で保持することができる。
【００３０】
本実施形態では、前記書籍ホルダー４の上縁部背面の両側部に設けた前記ヒンジ部７，７を、それぞれ棚板２の前縁部５に間隔を隔てて取付けた一対の支持具３，３に前後回動可能に連結したが、前記支持具３を棚板２の前縁部５に取付けた後、該支持具３の連結部２０にヒンジ部７のヒンジ片３４を連結するのは、両支持具３，３のスリット２１，２１の位置と、ヒンジ部７，７のヒンジ片３４，３４の位置を正確に合わせなければならないので、実際には前記ヒンジ部７，７のそれぞれに前記支持具３，３を連結した後、該支持具３，３を棚板２の前縁部５に装着するようにすることが好ましい。
【００３１】
また、前記支持具３の他の実施形態として、図７に示した支持具３は、前記書籍ホルダー４の両ヒンジ部７，７のヒンジ片３４，３４にわたる長さを有する一体物であり、前記同様に係合部１４、当止部１５、支持部１６及び連結部２０を一体成形し、前記支持部１６の上部両側部に螺孔１９，１９を形成するとともに、前記連結部２の両端部に前記同様なピン２３を挿入する軸孔２２，２２を形成したものである。ここで、前記支持具３の連結部２０の両端部を前記書籍ホルダー４の両ヒンジ部７，７のヒンジ片３４，３４の間に配置し、両側からピン２３をヒンジ片３４の孔３５から軸孔２２に挿入して前後回動可能に連結するのである。尚、本実施形態の支持具３は、押出し成形品を所定長さに切断し、前記螺孔１９，１９及び軸孔２２，２２を後加工で形成しても良い。その他の構成は前記同様であるので、同一構成には同一符号を付してその説明は省略する。
【００３２】
また、図８に示した支持具３は、前述の図７に示したものより、支持部１６の長さを長くし、書籍ホルダー４の下端部をそのまま指掛け部８として利用できるようにしたものである。その他の構成は図７に示した支持具３と同様であるので、同一構成には同一符号を付してその説明は省略する。
【００３３】
次に、図９〜図１１に書籍ホルダー４の第２実施形態を示す。本実施形態の書籍ホルダー４は、前述の実施形態の書籍ホルダー４において、前記カバー部材３１を省略するとともに、支持板２５の下端を底部材２６の下面よりも下方へ突出するように取付け、該支持板２５の下端突出部を指掛け部８としたものである。この場合、図１１に示すように、書籍ホルダー４を書棚１の棚板２の前縁部５に取付けた状態では、下段の書籍ホルダー４の上端が接近していても指掛け部８に容易に指を掛けることができるので、前記支持具３の支持部１６の長さは、前述のものより短く設定することができる。その他の構成は前記同様であるので、同一構成には同一符号を付してその説明は省略する。
【００３４】
また、図１２に書籍ホルダー４の第３実施形態を示す。本実施形態の書籍ホルダー４は、前記サポート部６を基板３６の下部を側面視略コ字形に折曲させて、底板３７と支持板３８を形成したものである。ここで、書籍ホルダー４の板材の材質は、アクリル樹脂板を局部的に加熱して前記底板３７と支持板３８を熱変形させて形成している。その他の構成は前記同様であるので、同一構成には同一符号を付してその説明は省略する。
【００３５】
最後に、図１３〜図１５に書籍ホルダー４の第４実施形態を示す。本実施形態の書籍ホルダー４は、第３実施形態と同様なものであり、前記サポート部６を基板３６の下部を側面視略コ字形に折曲させて、底板３７と支持板３８を形成したものである。尚、前記サポート部６の下縁部を金属製の断面コ字形のカバー部材３９外覆して強度を高めている。
【００３６】
また、本実施形態のヒンジ部７は、取付板４０の左右両端部にヒンジ片４１，４１を略直角に折曲形成し、両ヒンジ片４１，４１の間に軸ピン４２を嵌挿するようになっている。また、支持具３は、本実施形態では断面略Ｌ字形に成形した走行体４３の垂直部４４の上部両側に二対のローラ４５，…を装着するとともに、下部の水平部４６の端部に軸孔４７を貫設したものである。そして、前記ヒンジ部７の取付板４０を、前記書籍ホルダー４の基板３６の上端部背面にネジ止めや接着等の適宜な手段で固着し、前記走行体４３の水平部４６を前記ヒンジ片４１，４１間に配し、軸ピン４２を軸孔４７に嵌挿して回動可能に連結している。更に、前記棚板２の載置板１０の下面で前縁部５の後方に沿った位置に、前記走行体４３のローラ４５，…を走行可能に支持するレール部材４８を取付けている。前記レール部材４８は、下方開放した断面楽コ字形の本体部４９の下縁に、互に接近するように前記ローラ４５，…を載置するレール片５０，５０を形成し、該レール片５０，５０の間には走行体４３の垂直部４４を収容できる間隔を設けている。ここで、前記レール部材４８は、載置板１０の下面に溶接して取付けた例を示しているが、前記支持具３と同様に棚板２の前縁部５を利用して着脱可能に取付けることも好ましい。
【００３７】
図１５に示すように、前記レール部材４８の端部と前記棚板２の側縁部５１との間には間隔Ｌ１を設け、この間隔Ｌ１を前記走行体４３の左右寸法Ｌ２よりも大きく設定し、この間隔において前記走行体４３のレール片５０，５０をレール部材４８の端部からレール片５０，５０上に挿入し、当該走行体４３をレール部材４８に沿って、即ち前記棚板２の前縁部５に沿って書籍ホルダー４を移動可能としたのである。この実施形態でも、図１４に示すように、前記書籍ホルダー４の下端部背面は、下段の棚板２の前縁部５に当接し、前記ヒンジ部７の前後位置関係によって当該書籍ホルダー４は若干後傾した状態で支持されているのである。また、本実施形態でも前記書籍ホルダー４のサポート部６の下端は、それを当止する棚板２の前縁部５の下縁よりも若干下方に突出し、この突出部を指掛け部８とするのである。
【００３８】
本実施形態では、前記書籍ホルダー４を棚板２の横方向に自由に移動させることができ、その背後に収容した書籍等の出し入れを行うことが可能である。勿論、本実施形態でもヒンジ部７によって書籍ホルダー４は前後回動可能であるので、指掛け部８を持って手前に回動してその背後に収容した書籍等の出し入れを行うこともできる。尚、前記書棚１の横方向に少なくとも一つの書籍ホルダー４に相当する空間を残して、複数の書籍ホルダー４，…を同様に装着すれば、特定の場所を開放するには、全書籍ホルダー４，…を両側又は一側に移動させて寄せればよく、それにより棚板２への出し入れ空間を形成することができる。
【図面の簡単な説明】
【００３９】
【図１】本発明の書籍陳列装置を示す正面図である。
【図２】第１実施形態の分解状態の書籍ホルダーと支持具の斜視図である。
【図３】同じく組立てた書籍ホルダーと支持具の斜視図である。
【図４】書棚の棚板前縁部に書籍ホルダーを支持具にて装着した状態の縦断面図である。
【図５】同じく書籍ホルダーの装着状態の部分拡大縦断面図である。
【図６】書籍ホルダーを後傾状態に取付ける例を示す縦断面図である。
【図７】一体物の支持具の実施形態を示す斜視図である。
【図８】同じく一体物の支持具の他の実施形態を示す斜視図である。
【図９】第２実施形態の分解状態の書籍ホルダーと支持具の斜視図である。
【図１０】同じく組立てた書籍ホルダーと支持具の斜視図である。
【図１１】書棚の棚板前縁部に第２実施形態の書籍ホルダーを支持具にて装着した状態の縦断面図である。
【図１２】第３実施形態の分解状態の書籍ホルダーと支持具の斜視図である。
【図１３】第４実施形態の分解状態の書籍ホルダーと支持具の斜視図である。
【図１４】書棚の棚板前縁部に第４実施形態の書籍ホルダーを支持具にて装着した状態の縦断面図である。
【図１５】同じく部分正面図である。
【符号の説明】
【００４０】
１  書棚              ２  棚板
３  支持具            ４  書籍ホルダー
５  前縁部            ６  サポート部
７  ヒンジ部          ８  指掛け部
９  側板              １０  載置板
１１  前板            １２  下板
１３  立起片          １４  係合部
１４Ａ  係合面        １４Ｂ  突起部
１５  当止部          １６  支持部
１７  固定ネジ        １８  凹部
１９  螺孔            ２０  連結部
２１  スリット        ２２  軸孔
２３  ピン            ２４  基板
２５  支持板          ２６  底部材
２７  ネジ            ２８  スペーサ
２９  ボルト          ３０  ナット
３１  カバー部材      ３２  固定片
３３  ネジ            ３４  ヒンジ片
３４  ヒンジ片        ３５  孔
３６  基板            ３７  底板
３８  支持板          ３９  カバー部材
４０  取付板          ４１  ヒンジ片
４２  軸ピン          ４３  走行体
４４  垂直部          ４５  ローラ
４６  水平部          ４７  軸孔
４８  レール部材      ４９  本体部
５０  レール片
【図１】
2006263126.tif 000003
【図２】
2006263126.tif 000004
【図３】
2006263126.tif 000005
【図４】
2006263126.tif 000006
【図５】
2006263126.tif 000007
【図６】
2006263126.tif 000008
【図７】
2006263126.tif 000009
【図８】
2006263126.tif 000010
【図９】
2006263126.tif 000011
【図１０】
2006263126.tif 000012
【図１１】
2006263126.tif 000013
【図１２】
2006263126.tif 000014
【図１３】
2006263126.tif 000015
【図１４】
2006263126.tif 000016
【図１５】
2006263126.tif 000017